(57)【要約】【課題】エアゾール噴出器の操作性の改善を図る。【解決手段】エアゾール容器の噴射ステムにつながる少なくとも２つの経路を有し各経路を経て導入された種類の異なる内容物をその先端部分より排出するジョイントと、このジョイントの先端部分につながる送給経路を有し該送給経路を得た内容物を外表面に噴出させるエアゾール噴出器において、エアゾール容器に着脱自在に固定保持されるベースと、このベースに揺動可能に片持ち支持されジョイントの上部に設置される押圧部材と、押圧部材の揺動端につながり枢支軸を起点とする右または左側への揺動操作にて該押圧部材を押し下げて内容物を噴出させる操作レバーとにて構成する。【選択図】        図１
2004345722.tif 000002
【特許請求の範囲】
【請求項１】
エアゾール容器の噴射ステムにつながる少なくとも２つの経路を有し各経路を経て導入された種類の異なる内容物をその先端部分より排出するジョイントと、このジョイントの先端部分につながる送給経路を有し該送給経路を得た内容物を外表面に噴出させるエアゾール噴出器であって、
エアゾール容器に着脱自在に固定保持されるベースと、このベースに揺動可能に片持ち支持されジョイントの上部に設置される押圧部材と、押圧部材の揺動端につながり枢支軸を起点とする右または左側への揺動操作にて該押圧部材を押し下げて内容物を噴出させる操作レバーからなることを特徴とするエアゾール噴出器。
【請求項２】
枢支軸が、ベースに設けられたものである請求項１記載のエアゾール噴出器。
【請求項３】
噴出器の先端にブラシ、櫛あるいはスポンジからなる塗布具若しくはノズルを具備する請求項１または２記載の多連式エアゾール噴出器。
【発明の詳細な説明】
【０００１】
【発明の属する技術分野】
本発明は、少なくとも２つの容器内に充填した種類の異なる内容物をそれぞれ同時に噴出させるエアゾール噴出器に関するものであり、その噴出器の操作性の改善を図ろうとするものである。
【０００２】
【従来の技術】
近年、毛染め剤や洗顔フォーム、トリートメント等においては組成の異なる少なくとも２種類の液状物を使用直前に混合して使用するものが商品として流通している。
【０００３】
かかる商品は、それぞれの液状物毎に個別の容器に充填されてそれを１セットとして販売されているのが普通であり、使用に際してはそれぞれの容器から液状物を注出して所定の割合で混合する作業を必要とすることから使い勝手が悪いという不具合があった。
【０００４】
このような商品についての従来技術としては、一回の操作で各容器から内容物を同時に注出するようにしたエアゾール式二液混合容器が知られている（例えば特許文献１参照）。
【０００５】
【特許文献１】
実用新案登録第２５２３１７９号明細書
【０００６】
ところで、毛染め剤等のような薬剤を充填した容器は、各容器に充填された内容物を同時に所定の割合（普通は５：５）で注出することができるとともに、注出した内容物を正確に頭髪に塗布できるようにその操作性がよいことが求められるところ、通常の噴出器は、塗布具の近くで操作を行わなければならず、しかも、内容物を噴出させる際に大きな押圧力を必要とすることから操作性がよいとは言えないのが現状であった。
【０００７】
【発明が解決しようとする課題】
本発明の課題は、比較的小さな力でもって内容物を噴出させることができる操作性の良好なエアゾール噴出器を提案するところにある。
【０００８】
【課題を解決するための手段】
本発明は、エアゾール容器の噴射ステムにつながる少なくとも２つの経路を有し各経路を経て導入された種類の異なる内容物をその先端部分より排出するジョイントと、このジョイントの先端部分に繋がる送給経路を有し該送給経路を得た内容物を外表面に噴出させるエアゾール噴出器であって、
エアゾール容器に着脱自在に固定保持されるベースと、このベースに揺動可能に片持ち支持されジョイントの上部に設置される押圧部材と、押圧部材の揺動端につながり枢支軸を起点とする右または左側への揺動操作にて該押圧部材を押し下げて内容物を噴出させる操作レバーからなることを特徴とするエアゾール噴出器である。
【０００９】
上記の枢支軸は、ベースに設けられたものが好適であり、噴出器の先端には、ブラシ、櫛あるいはスポンジからなる塗布具若しくはノズルを配置することができる。
【００１０】
【発明の実施の形態】
以下、図面を用いて本発明をより具体的に説明する。
【００１１】
図１〜３は本発明に従うエアゾール噴出器の実施の形態をしたものであり、図１は正面図、図２は側面図そして図３は平面図である。
【００１２】
図１〜３において１、２は種類の異なる内容物を加圧媒体とともにそれぞれ充填したエアゾール容器である。エアゾール容器１、２はそれぞれ噴射ステム１ａ、２ａを有しておりそれを押圧することで該ステム１ａ、２ａから内容物を噴出させることができるようになっている。
【００１３】
また、３はジョイントである。このジョイント３は、例えば容器１、２の噴射ステム１ａ、２ａに嵌合する開口を有する基体３ａとこの基体３ａに組合わさる上蓋３ｂにて構成した例で示してあり、その内部には、基体３ａの開口につながる経路Ｌ１、Ｌ２が設けられている。
【００１４】
また、４はジョイント３の経路Ｌ１、Ｌ２  につながる送給経路を有し該送給経路Ｌ１、Ｌ２を得て内容物を外表面に噴出させて塗布可能に保持する櫛を例として示した塗布具、５はエアゾール容器１、２の肩部に固定保持されるベース、６はベース５に枢支軸Ｐを介して揺動可能に片持ち支持されジョイント３の上部に設置された押圧部材、７は押圧部材６の揺動端につながりベース５と一体になる枢支軸Ｐ２を起点とする右または左側への揺動操作にて押圧部材６を押し下げて内容物を噴射させる操作レバー、そして８は正面図のみにおいて装着した例で示したカバー体である。なお、枢支軸Ｐにはベース５に設けられた軸孔への挿入を容易とし、かつ、抜け出しを不能とするために、その下端面を切り欠いた断面テーパー形状とすることができる。また、押圧部材６にはジョイント３の押し下げのために、上蓋３ｂの上面に当接し下方に向けて突出する円弧状部を塗布具４の環状体４ａに隣接する位置に形成されている。
【００１５】
ジョイント３の上蓋３ｂの環状体３ｂ１はそれぞれ塗布具４の環状体４ａの内側に摺動可能に嵌合しており、操作レバー７を容器の胴部に沿って右または左側へ揺動させると枢支軸Ｐ２の上方に位置する薄肉部基部が屈曲して押圧部材６が引き下げられる。すなわち、押圧部材６はテコの原理によって図４に示すように枢支軸Ｐを支点にして押し下げられ、これと同時にジョイント３及び噴射ステム１ａ、２ａも押し下げられて噴射ステム１ａ、２ａからそれぞれ内容物が噴出することになる。
【００１６】
図５に押圧部材６、ジョイント３及び操作レバー７の外観斜視図を示す。
【００１７】
本発明に従う噴出器は、操作レバー７が塗布具４から離れた容器の胴部に位置しており、操作レバー７を右あるいは左側へ軽く揺動させるだけで内容物を噴出させることができ操作性が極めてよい。
【００１８】
ジョイント３については内容物をそれぞれ個別あるいは層状にして噴出させる構造のものが適用できる他、予め強制的に混合させて噴出させる構造のものを適用することも可能でありこの点に関しては限定されない。さらには、内容物を混合噴出させる構造では、流路の途中にミキシング部材を配置することも可能である。
【００１９】
また、塗布具４は櫛状のものを例として示したが、ブラシタイプのものやスポンジタイプのもの、あるいは塗布具４に代えて内容物を端に噴出させるのみのノズルタイプのものなど、状況に応じて適宜に使い分けられる。
【００２０】
【発明の効果】
本発明によれば、比較的小さな力でもって内容物を排出することができ、その排出操作は容器の胴部を把持した状態で行うことが可能であり、操作性が極めてよい。
【図面の簡単な説明】
【図１】本発明に従う噴出器の実施の形態をその断面で示した図である。
【図２】図１の側面を示した図である。
【図３】図１の平面を示した図である。
【図４】内容物の噴出状態を示した図である。
【図５】押圧部材、ジョイント及び操作レバーの外観斜視図である。
【符号の説明】
１  エアゾール容器
１ａ  噴射ステム
２  エアゾール容器
２ａ  噴射ステム
３  ジョイント
３ａ  基部
３ａ１  環状体
３ｂ  上蓋
４  塗布具
４ａ  環状体
５  ベース
６  押圧部材
７  操作レバー
８  カバー体
Ｐ  枢支軸
Ｐ１  枢支軸
Ｌ１  経路
Ｌ２  経路
【図１】
2004345722.tif 000003
【図２】
2004345722.tif 000004
【図３】
2004345722.tif 000005
【図４】
2004345722.tif 000006
【図５】
2004345722.tif 000007